(57)【特許請求の範囲】
【請求項１】
基台と、
前記基台から上方に伸びるよう前記基台に設けられたシャフトと、
両面ミラーから成り、水平方向の回転軸を中心として回転して上下方向の角度を調整可能に、前記シャフトの先端に設けられた口腔内挿入用鏡と、
前記回転軸に平行な軸を中心として回転して上下方向の角度を調整可能に前記基台に設けられた確認用鏡とを有し、
前記口腔内挿入用鏡は、口腔内に挿入する先端部から後端部に向かって所定の距離の位置に、両側縁から前記回転軸に沿って側方にそれぞれ伸びるよう設けられた１対のストッパを有し、各ストッパの先端間の距離が前記使用者の口の幅よりも長く、
前記口腔内挿入用鏡を使用者の口腔内に挿入したとき、前記使用者が前記口腔内挿入用鏡の反射像を前記確認用鏡で確認可能に構成されていることを
特徴とする口腔内視認用鏡。
【請求項２】
前記基台に支持されたフレキシブルアームと、
前記口腔内挿入用鏡に対する位置を変更可能に、前記フレキシブルアームの先端に設けられ、前記口腔内挿入用鏡を前記使用者の口腔内に挿入したとき、前記使用者の正面から前記口腔内に光を直接照射するとともに、前記口腔内挿入用鏡の反射を利用して前記使用者の歯の裏側に光を照射可能に構成された照射手段とを、
有することを特徴とする請求項１記載の口腔内視認用鏡。
【請求項３】
前記シャフトは、前記回転軸に平行な軸を中心として回転して仰角を調整可能に前記基台に設けられていることを特徴とする請求項１または２記載の口腔内視認用鏡。
【請求項４】
前記口腔内挿入用鏡は、一方の側縁側に前記シャフトの先端が取り付けられており、
前記シャフトは、長さ方向の軸線を中心として回転可能に前記基台に設けられていることを
特徴とする請求項１乃至３のいずれか１項に記載の口腔内視認用鏡。
【請求項５】
前記確認用鏡は両面ミラーから成り、前記回転軸を中心として少なくとも１８０度回転可能に設けられ、一方の鏡面が凹面であることを特徴とする請求項１乃至４のいずれか１項に記載の口腔内視認用鏡。
【請求項６】
前記確認用鏡は、前記基台に対して高さ調整可能かつ左右に回転可能に設けられていることを特徴とする請求項１乃至５のいずれか１項に記載の口腔内視認用鏡。
【請求項７】
前記シャフトに取付可能に設けられた取付鏡部材を有し、
前記取付鏡部材は、１箇所または複数箇所で任意の方向に折り曲げ可能に設けられた自在アームと、自在継手により前記自在アームの一端に取り付けられた移動鏡と、前記シャフトに着脱可能に前記自在アームの他端に設けられた取付部とを有していることを
特徴とする請求項１乃至６のいずれか１項に記載の口腔内視認用鏡。
【発明の詳細な説明】
【技術分野】
【０００１】
本発明は、口腔内視認用鏡に関する。
【背景技術】
【０００２】
従来、歯の裏側などを使用者が自分で視認するための口腔内視認用の鏡として、アームなどの支持体の一端に、口腔内に入れるための第１の鏡を有し、支持体の他端に、第１の鏡の反射像を写して自分で確認できるよう、支持体との角度を変更可能に設けられた第２の鏡を有するものがある（例えば、特許文献１乃至３参照）。
【先行技術文献】
【特許文献】
【０００３】
【特許文献１】実開平６−４６７０１号公報
【特許文献２】特開２００１−８８９４号公報
【特許文献３】特開平１０−９９２７０号公報
【発明の概要】
【発明が解決しようとする課題】
【０００４】
特許文献１乃至３に記載の口腔内視認用の鏡では、上の歯の裏側は容易に見ることができるが、下の歯の裏側を見るときには、各鏡の距離が近く、アームなどの支持体で直接連結されているため、各鏡の角度をどのように調節しても、アームなどの支持体が邪魔になってしまう。このため、使用者が自分で下の歯の裏側を見るのは困難であるという課題があった。
【０００５】
本発明は、このような課題に着目してなされたもので、使用者が自分で上の歯の裏側だけでなく、下の歯の裏側も容易に見ることができる口腔内視認用鏡を提供することを目的とする。
【課題を解決するための手段】
【０００６】
上記目的を達成するために、本発明に係る口腔内視認用鏡は、基台と、前記基台から上方に伸びるよう前記基台に設けられたシャフトと、両面ミラーから成り、水平方向の回転軸を中心として回転して上下方向の角度を調整可能に、前記シャフトの先端に設けられた口腔内挿入用鏡と、前記回転軸に平行な水平軸を中心として回転して上下方向の角度を調整可能に前記基台に設けられた確認用鏡とを有し、前記口腔内挿入用鏡を使用者の口腔内に挿入したとき、前記使用者が前記口腔内挿入用鏡の反射像を前記確認用鏡で確認可能に構成されていることを特徴とする。
【０００７】
本発明に係る口腔内視認用鏡は、口腔内挿入用鏡を使用者の口腔内に挿入して使用される。口腔内挿入用鏡の上下方向の角度を調整するとともに、確認用鏡の上下方向の角度を調整することにより、口腔内挿入用鏡に映った口腔内の反射像を、使用者が自分で確認用鏡で確認することができる。特に、口腔内挿入用鏡が歯の裏側を映すよう、口腔内挿入用鏡および確認用鏡の角度を調整することにより、使用者が自分で歯の裏側を見て確認することができる。これにより、使用者が、歯の裏側などの口腔内の状態を確認したり、歯の表側だけでなく裏側を見ながら、歯磨きしたりすることができる。
【０００８】
本発明に係る口腔内視認用鏡は、口腔内挿入用鏡が両面ミラーから成るため、口腔内挿入用鏡の一方の鏡面に上の歯の裏側を映すだけでなく、他方の鏡面に下の歯の裏側を映すことができる。このため、使用者が自分で上の歯の裏側だけでなく、下の歯の裏側も容易に見ることができる。シャフトの先端に口腔内挿入用鏡が設けられているため、口腔内挿入用鏡が下の歯の裏側を映すとき、確認用鏡にシャフトが映り込まないよう、また確認用鏡に映り込むシャフトが邪魔にならないよう、シャフトを構成することができる。これにより、口腔内挿入用鏡が下の歯の裏側を映すとき、シャフトが邪魔にならず、使用者が自分で確認用鏡で下の歯の裏側を容易に確認することができる。確認用鏡にシャフトが映り込まないためには、例えば、口腔内挿入用鏡に向かって左右のいずれか一方に、シャフトが湾曲したり折り曲げたりして形成されていてもよく、口腔内挿入用鏡に向かって左右のいずれか一方から、シャフトが斜めに伸びていてもよい。また、確認用鏡に映り込むシャフトが邪魔にならないためには、映り込むシャフトの幅が細くなるよう、シャフトが形成されていてもよい。
【０００９】
本発明に係る口腔内視認用鏡で、口腔内挿入用鏡は着脱可能であってもよい。この場合、使用のたびに口腔内挿入用鏡を取り外して洗浄することができ、常に清潔な状態で使用することができる。また、使用者ごとに口腔内挿入用鏡を所有することにより、使用時に自分の口腔内挿入用鏡を取り付けて使用することができる。シャフトは、基台に着脱可能に設けられていてもよい。また、シャフトは、伸縮可能に設けられていてもよい。この場合、使用者の口の高さに合わせて、口腔内挿入用鏡の高さを容易に調整することができる。
【００１０】
本発明に係る口腔内視認用鏡で、前記口腔内挿入用鏡は、口腔内に挿入する先端部から後端部に向かって所定の距離の位置に、両側縁から前記回転軸に沿って側方にそれぞれ伸びるよう設けられた１対のストッパを有し、各ストッパの先端間の距離が前記使用者の口の幅よりも長い。これにより、口腔内挿入用鏡を使用者の口に挿入していくと、所定の距離だけ挿入した位置で、各ストッパが使用者の口の脇に引っ掛かるため、それ以上、口腔内挿入用鏡が口の中に入り込むのを防ぐことができる。このため、口腔内挿入用鏡が入りすぎて口の奥や喉を突いてケガをしたり、気持ち悪くなったりするのを防ぐことができる。各ストッパは、口腔内挿入用鏡で歯の裏側を確認できる位置まで、口腔内挿入用鏡を挿入可能に設けられていることが好ましい。
【００１１】
本発明に係る口腔内視認用鏡は、前記基台に支持されたフレキシブルアームと、
前記口腔内挿入用鏡に対する位置を変更可能に、前記フレキシブルアームの先端に設けられ、前記口腔内挿入用鏡を前記使用者の口腔内に挿入したとき、前記使用者の正面から前記口腔内に光を直接照射するとともに、前記口腔内挿入用鏡の反射を利用して前記使用者の歯の裏側に光を照射可能に構成された照射手段とを、有することが好ましい。この場合、照射手段で光を照射しながら、歯の裏側などの口腔内を鮮明に見ることができる。照射手段は、例えばＬＥＤ照明から成っていてもよい。
【００１２】
本発明に係る口腔内視認用鏡で、前記シャフトは、前記回転軸に平行な軸を中心として回転して仰角を調整可能に前記基台に設けられていることが好ましい。この場合、使用者の口の位置に合わせて、シャフトの角度を調整することができる。シャフトは、確認用鏡に対して反対側、すなわち使用者に向かって傾くよう、仰角を調整可能であることが好ましい。
【００１３】
本発明に係る口腔内視認用鏡で、前記口腔内挿入用鏡は、一方の側縁側に前記シャフトの先端が取り付けられており、前記シャフトは、長さ方向の軸線を中心として回転可能かつ伸縮可能に前記基台に設けられていることが好ましい。この場合、口腔内挿入用鏡に対してシャフトが左右いずれかに片寄って取り付けられているため、下の歯の裏側を映すときに、シャフトが邪魔にならず、確認用鏡で下の歯の裏側を容易に確認することができる。また、シャフトを長さ方向の軸線を中心として回転させることにより、歯の裏側を見ながら歯磨きする際、使用する右または左の腕に合わせてシャフトを回転させて、シャフトが邪魔にならない位置で歯磨きすることができる。また、シャフトを伸縮させて、口腔内挿入用鏡の位置を調節することができる。
【００１４】
本発明に係る口腔内視認用鏡で、前記確認用鏡は両面ミラーから成り、前記水平軸を中心として少なくとも１８０度回転可能に設けられ、一方の鏡面が凹面であることが好ましい。この場合、口腔内挿入用鏡の反射像を、確認用鏡の凹面側の鏡面に映すことにより、その像を拡大して見ることができる。また、確認用鏡の両面は、平面鏡、凹面鏡、凸面鏡などの様々な種類の鏡のうち、いかなる組合せであってもよい。
【００１５】
本発明に係る口腔内視認用鏡で、前記確認用鏡は、前記基台に対して高さ調整可能かつ左右に回転可能に設けられていることが好ましい。この場合、使用者の見やすい位置に合わせて、確認用鏡の高さや左右の向きを調整することができる。
【００１６】
本発明に係る口腔内視認用鏡は、前記シャフトに取付可能に設けられた取付鏡部材を有し、
前記取付鏡部材は、１箇所または複数箇所で任意の方向に折り曲げ可能に設けられた自在アームと、自在継手により前記自在アームの一端に取り付けられた移動鏡と、前記シャフトに着脱可能に前記自在アームの他端に設けられた取付部とを有していることが好ましい。この場合、取付鏡部材をシャフトに取り付けて、自在アームを所望の方向に折り曲げ、自在継手で移動鏡の角度を調整することにより、使用者が耳の穴や耳の裏側、後頭部など、移動鏡で所望の箇所を映し、その反射像を確認用鏡で確認することができる。
【発明の効果】
【００１７】
本発明によれば、使用者が自分で上の歯の裏側だけでなく、下の歯の裏側も容易に見ることができる口腔内視認用鏡を提供することができる。
【図面の簡単な説明】
【００１８】
【図１】本発明の実施の形態の口腔内視認用鏡を示す正面図である。
【図２】本発明の実施の形態の口腔内視認用鏡の、上の歯の裏側を見るときの使用状態を示す右側面図である。
【図３】本発明の実施の形態の口腔内視認用鏡の、下の歯の裏側を見るときの使用状態を示す右側面図である。
【図４】本発明の実施の形態の口腔内視認用鏡の、取付鏡部材を示す（ａ）正面図、（ｂ）右側面図である。
【図５】本発明の実施の形態の口腔内視認用鏡の、取付鏡部材を利用したときの使用状態を示す右側面図である。
【発明を実施するための形態】
【００１９】
以下、図面に基づいて、本発明の実施の形態について説明する。
図１乃至図５は、本発明の実施の形態の口腔内視認用鏡を示している。
図１乃至図３に示すように、口腔内視認用鏡１０は、基台１１とシャフト１２と支持柱１３と口腔内挿入用鏡１４と確認用鏡１５とフレキシブルアーム１６と照射手段１７とを有している。
【００２０】
基台１１は、薄く平らな正方形の板１１ａの中央部に、円形の金属べース１１ｂが載って成り、底面の四隅に滑り止め用のゴム１１ｃが取り付けられている。なお、板１１ａは、正方形に限らず、いかなる形状であってもよい。シャフト１２および支持柱１３は、基台１１の円形の金属ベース１１ｂから上方に伸びるよう設けられている。シャフト１２は、基台１１の中心を通り、互いに平行な１組の側縁に対して平行な中心面（以下、「基台中心面２１」という）に沿って、基台１１の中心からずれた位置に取り付けられている。支持柱１３は、基台１１の中心に取り付けられている。
【００２１】
シャフト１２は、スチール製で、先端部１２ａがクランク状に形成されており、先端が基台中心面２１から一方の側方にずれている。シャフト１２は、基台中心面２１に沿って、基台１１の中心に対して反対側に向かって傾いており、その傾きの仰角を調整可能になっている。図１乃至図３に示す具体的な一例では、シャフト１２は、水平面から３０〜８０度の角度で、仰角を調整可能になっている。また、シャフト１２は、伸縮可能に設けられ、先端までの長さを調整可能になっている。また、シャフト１２は、基台１１に対して着脱可能であり、長さ方向の軸線を中心として回転可能に設けられている。
【００２２】
支持柱１３は、基台１１に対して垂直上方に伸びるよう取り付けられている。支持柱１３は、伸縮可能に設けられ、先端の高さを調整可能になっている。また、支持柱１３は、先端部１３ａが、長さ方向に沿った中心周りに回転可能になっている。
【００２３】
口腔内挿入用鏡１４は、ほぼ矩形状の両面ミラーから成り、シャフト１２の先端に着脱可能に取り付けられている。口腔内挿入用鏡１４は、各鏡面の中心が基台中心面２１を通り、各鏡面および１対の長辺が基台中心面２１に対して垂直になるよう、一方の長辺１４ａの一端にシャフト１２の先端が取り付けられている。また、口腔内挿入用鏡１４は、上下方向の角度を調整可能に、基台中心面２１に対して垂直な水平方向の回転軸を中心として回転するよう、シャフト１２に取り付けられている。
【００２４】
口腔内挿入用鏡１４は、口腔内に挿入する先端側の他方の長辺１４ｂから、後端側の一方の長辺１４ａに向かって、一方の長辺１４ａ寄りの所定の距離の位置に、両短辺から回転軸に沿って側方にそれぞれ伸びるよう設けられた１対のストッパ１４ｃを有している。各ストッパ１４ｃは、先端間の距離が使用者の口の幅よりも長くなるよう形成されている。
【００２５】
確認用鏡１５は、円形の両面ミラーから成り、各鏡面の中心が基台中心面２１を通るよう、支持柱１３の先端に取り付けられている。確認用鏡１５は、一方の鏡面が凹面の拡大鏡から成り、他方の鏡面が平面鏡から成っている。確認用鏡１５は、上下方向の角度を調整可能に、各鏡面の中心を通り、基台中心面２１に対して垂直な水平軸を中心として、３６０度回転するよう取り付けられている。また、確認用鏡１５は、支持柱１３により、基台１１に対して高さ調整可能かつ左右に回転可能になっている。確認用鏡１５は、支持柱１３の先端部１３ａが中心周りに回転したとき、各鏡面が基台中心面２１に対して垂直になる位置に来るようになっている。
【００２６】
なお、シャフト１２の仰角を調整するための回転軸、口腔内挿入用鏡１４の回転軸、および確認用鏡１５の各鏡面が基台中心面２１に対して垂直になったときの確認用鏡１５の水平軸は、互いに平行である。また、シャフト１２は、仰角を調整するとき、確認用鏡１５に対して反対側に向かって傾くようになっている。
【００２７】
フレキシブルアーム１６は、一端がシャフト１２の中心部に着脱可能に取り付けられ、他端が上下左右に自在に伸びるようになっている。フレキシブルアーム１６は、シャフト１２を介して基台１１に支持されている。
【００２８】
照射手段１７は、ＬＥＤ照明から成っており、フレキシブルアーム１６の先端に取り付けられている。照射手段１７は、フレキシブルアーム１６により、口腔内挿入用鏡１４に対する位置を自在に変更可能になっている。
【００２９】
次に、作用について説明する。
口腔内視認用鏡１０は、口腔内挿入用鏡１４を使用者１の口腔内に挿入して使用される。口腔内視認用鏡１０は、使用者１と確認用鏡１５との間に口腔内挿入用鏡１４が配置されるようにして使用される。まず、図２および図３に示すように、口腔内挿入用鏡１４を使用者１の口腔内に挿入し、口腔内挿入用鏡１４の上下方向の角度を調整するとともに、確認用鏡１５の上下方向の角度を調整する。これにより、口腔内挿入用鏡１４に映った口腔内の反射像を確認用鏡１５に映して、使用者１が確認できるようにすることができる。特に、口腔内挿入用鏡１４が歯の裏側を映すよう、口腔内挿入用鏡１４および確認用鏡１５の角度を調整することにより、使用者１が自分で歯の裏側を見て確認することができる。これにより、使用者１が、歯の裏側などの口腔内の状態、例えば、虫歯、口内炎、口腔内炎症などを確認したり、歯の表側だけでなく裏側を見ながら、歯磨きしたりすることができる。
【００３０】
口腔内視認用鏡１０は、口腔内挿入用鏡１４が両面ミラーから成るため、図２に示すように、口腔内挿入用鏡１４の一方の鏡面に上の歯の裏側を映すだけでなく、図３に示すように、他方の鏡面に下の歯の裏側を映すことができる。このため、使用者１が自分で上の歯の裏側だけでなく、下の歯の裏側も容易に見ることができる。シャフト１２の先端部１２ａがクランク状に形成されているため、口腔内挿入用鏡１４が下の歯の裏側を映すとき、シャフト１２が邪魔にならず、使用者１が確認用鏡１５で下の歯の裏側を容易に確認することができる。
【００３１】
口腔内視認用鏡１０は、使用者１の口の位置に合わせて、シャフト１２の角度や長さを調整したり、使用者１の見やすい位置に合わせて、確認用鏡１５の高さや左右の向きを調整したりすることにより、さらに容易に口腔内を確認できるようにすることができる。また、口腔内挿入用鏡１４を使用者１の口腔内に挿入したとき、照射手段１７で、使用者１の正面から口腔内および口腔内挿入用鏡１４の反射を利用して使用者１の歯の裏側に光を照射することにより、歯の裏側などの口腔内をより鮮明に見ることができる。また、口腔内挿入用鏡１４の反射像を、確認用鏡１５の平面鏡でも見ることができ、拡大鏡で拡大して見ることもできる。確認用鏡１５の拡大鏡は、舌を出して健康状態を確認したり、耳、鼻、口や顔全体を大きく映して肌の色を確認したり、化粧直しをしたり、髭剃りをしたり、耳飾りやつけまつげを取り付けたり、眉毛を描いたりするのにも便利である。
【００３２】
口腔内視認用鏡１０は、口腔内挿入用鏡１４を使用者１の口に挿入していくと、各ストッパ１４ｃが使用者１の口の脇に引っ掛かるため、それ以上、口腔内挿入用鏡１４が口の中に入り込むのを防ぐことができる。このため、口腔内挿入用鏡１４が入りすぎて口の奥や喉を突いてケガをしたり、気持ち悪くなったりするのを防ぐことができる。
【００３３】
口腔内視認用鏡１０は、シャフト１２の先端部１２ａがクランク状に形成されていると共に、シャフト１２を長さ方向の軸線を中心として回転させることができるため、歯の裏側を見ながら歯磨きする際、使用する右または左の腕に合わせてシャフト１２を回転させて、シャフト１２が邪魔にならない位置で歯磨きすることができる。この場合、特に、歯磨きに電動歯ブラシを用いることが好ましい。
【００３４】
口腔内視認用鏡１０は、口腔内挿入用鏡１４が着脱可能であるため、使用のたびに口腔内挿入用鏡１４を取り外して洗浄することができ、常に清潔な状態で使用することができる。また、使用者１ごとに口腔内挿入用鏡１４を所有することにより、使用時に自分の口腔内挿入用鏡１４を取り付けて使用することができる。
【００３５】
なお、図４および図５に示すように、口腔内視認用鏡１０は、シャフト１２に取付可能に設けられた取付鏡部材３１を有していてもよい。取付鏡部材３１は、自在アーム３２と、その両端にそれぞれ設けられた移動鏡３３と取付部３４とを有している。自在アーム３２は、細長く、それぞれ両端部３２ａ、３２ｂの２箇所で、中央部３２ｃに対して端部３２ａ、３２ｂの側が任意の方向に折り曲げ可能かつ周方向に回転可能に設けられている。移動鏡３３は、両面ミラーから成り、自在アーム３２に対する角度を調整可能に、自在継手３５により自在アーム３２に取り付けられている。取付部３４は、磁石から成り、スチール製のシャフト１２に着脱可能に設けられている。
【００３６】
この場合、図５に示すように、取付鏡部材３１をシャフト１２に取り付けて、自在アーム３２を所望の方向に折り曲げ、自在継手３５で移動鏡３３の角度を調整することにより、移動鏡３３で使用者１が耳の穴や耳の裏側、後頭部などを映し、その反射像を確認用鏡１５で確認することができる。また、照射手段１７を利用することにより、暗い耳の穴の中を鮮明に見ることができる。
【符号の説明】
【００３７】
１  使用者
１０  口腔内視認用鏡
１１  基台
１１ａ  板
１１ｂ  円形の金属ベース
１１ｃ  滑り止め用のゴム
１２  シャフト
１２ａ  先端部
１３  支持柱
１３ａ  先端部
１４  口腔内挿入用鏡
１４ａ  一方の長辺
１４ｂ  他方の長辺
１４ｃ  ストッパ
１５  確認用鏡
１６  フレキシブルアーム
１７  照射手段
２１  基台中心面
３１  取付鏡部材
３２  自在アーム
３３  移動鏡
３４  取付部
３５  自在継手
【要約】
【課題】使用者が自分で上の歯の裏側だけでなく、下の歯の裏側も容易に見ることができる口腔内視認用鏡を提供する。
【解決手段】シャフト１２が、基台１１から上方に伸びるよう、基台１１に設けられている。口腔内挿入用鏡１４が、両面ミラーから成り、上下方向の角度を調整可能に、水平方向の回転軸を中心として回転するよう、シャフト１２の先端に設けられている。確認用鏡１５が、上下方向の角度を調整可能に、前記回転軸に平行な水平軸を中心として回転するよう基台１１に設けられている。口腔内挿入用鏡１４を使用者１の口腔内に挿入したとき、使用者１が口腔内挿入用鏡１４の反射像を確認用鏡１５で確認可能に構成されている。
【選択図】図１【図１】
0006024809.tif 000002
【図２】
0006024809.tif 000003
【図３】
0006024809.tif 000004
【図４】
0006024809.tif 000005
【図５】
0006024809.tif 000006